(57)【要約】【課題】針金状器具の内部への進入が確実に防止でき、針金状器具よる不正行為の防止効果が充分得られるようになるスロットマシンの提供。【解決手段】下パネル５の係止突起23に設けた鉤形部23A を、枠状部６に設けられた下向き開口11の周囲部分11A に係止させて、下パネル５を前扉2Aに取り付けるとともに、下向き開口11を塞ぐカバー板12で、間仕切板10に形成した開口部10A を塞ぐようにする。これにより、前扉2Aに設けられた枠状部６の横桟部6Eと、下パネル５との間の隙間15に細長い針金状器具が挿入されても、カバー板12の閉塞平板部12B が針金状器具の進路を遮断し、針金状器具は、間仕切板10及び閉塞平板部12B よりも筐体２の内側へ進入できず、針金状器具よる不正行為の防止効果を充分得ることができる。【選択図】    図２
2005296406.tif 000002
【特許請求の範囲】
【請求項１】
内部の回転リールに記された図柄を外部に露出させるリール窓と、このリール窓の下方に配置されるとともに所定の表示がなされた下パネルと、この下パネルを後方から照らすバックライトとなる光源と、前記下パネルの下方に配置されるとともに払い出されたメダルを受ける受け皿とが、その前扉に設けられたスロットマシンであって、
前記下パネルは、当該下パネルの裏面から前記前扉側へ突出する係止突起がその下端縁部に設けられたものとされ、
前記前扉には、下パネルを囲むように形成された枠状部が設けられ、
前記枠状部は、前記下パネルの上端縁に対応する部分に、前記下パネルの上端縁が挿入されて当該上端縁を係止する係止溝が設けられるとともに、前記受け皿に向かって開いた下向き開口が、その下方部分に形成されたものとされ、
前記枠状部の前記下向き開口の周囲部分には、互いに係合しあう係止爪及び係止孔の一方が設けられ、前記下パネルの前記係止突起には、前記係止爪及び前記係止孔の他方が設けられ、
前記下向き開口は、当該下向き開口に応じたサイズを有するカバー板で塞がれていることを特徴とするスロットマシン。
【請求項２】
前記下パネルの後方には、当該下パネルの後方空間を前後に仕切るとともに前記光源を支持する間仕切板が設けられ、
前記カバー板は、前記間仕切板に形成された開口部を前記間仕切板の裏側から塞ぐように前記間仕切板に固定されていることを特徴とする請求項１記載のスロットマシン。
【請求項３】
前記係止突起は、その側面の中間部分から切り立つように突出する鉤形部と、この鉤形部から先端側へ行くにしたがって薄くなるとともに先端が尖っている楔形部とを備えたものとされ、前記鉤形部が前記係止孔に係合する前記係止爪とされ、
前記下向き開口は、前記枠状部の当該下向き開口を囲む周囲部分に、前記係止突起の前記係止爪である前記鉤形部と係合して前記鉤形部を係止する前記係止孔となっていることを特徴とする請求項１又は２記載のスロットマシン。
【請求項４】
前記下パネルは、表側に配置されるとともに透明となった外装パネル板と、内側に配置されるとともに透光性を有する内側パネル板と、前記外装パネル板及び前記内側パネル板の間に介装されるとともに所定の表示物が印刷された印刷シートとが重ね合わされたものとなっていることを特徴とする請求項１から請求項３までのいずれかに記載のスロットマシン。
【請求項５】
前記カバー板は、透光性を有する材質で形成されたレンズであり、前記下向き開口は、前記光源からの光を前記受け皿に照射するための光路となっていることを特徴とする請求項１から請求項４までのいずれかに記載のスロットマシン。
【発明の詳細な説明】
【技術分野】
【０００１】
本発明は、筐体の内部に配置された回転リールの図柄を外部に露出させるリール窓と、このリール窓の下方に配置されるとともに所定の表示がなされた下パネルとが前扉に設けられているスロットマシンに関する。
【背景技術】
【０００２】
従来から、スロットマシンやパチンコ遊技機等の遊技機は、人々に娯楽を提供するための手段として利用されている。
例えば、スロットマシンは、複数種類の図柄が記されるとともに回転駆動可能に設けられた複数の回転リールを備えた遊技機である。このようなスロットマシンでは、メダルを投入してから、スタートレバー等を操作して、回転リールを一斉にスタートさせる。そして、回転駆動させた複数の回転リールを適宜停止させ、これらの回転リールに表示された図柄が特定の組合せとなったときに入賞となる。
【０００３】
そして、スロットマシンは、入賞を引き当てた遊技者に対して、入賞した役に応じた数のメダルを払い出し、これにより、遊技者を楽しませるようになっている。
このようなスロットマシンには、前扉の下方部分に配置されるとともに、スロットマシンの名称を示す文字又は記号や、イメージキャラクタのイラスト等からなる所定の表示が描かれた下パネルが設けられている。
このような下パネルは、一般的に、前扉に着脱可能に取り付けられている。
すなわち、下パネルは、その裏面から前扉側へ突出する係止突起がその下端縁部に設けられたものとなっている。この係止突起には、前扉側の係止孔に係止される係止爪が設けられている。
【０００４】
一方、前扉の下部には、下パネルを囲むように形成された枠状部が設けられている。ここで、枠状部の上部には、下パネルの上端縁が挿入されて当該下パネルの上端縁を係止する係止溝が設けられている。また、枠状部の下部には、下パネルの係止突起が挿入され、この係止突起の係止爪を、その裏側の縁に係止させる係止孔が設けられている。
下パネルは、その上端縁を前扉側の係止溝に挿入した状態で、その下端縁部に設けた係止突起を、前扉側の係止孔に挿入し、その係止爪を前扉側の係止孔の裏側の縁に係止させることにより、前扉に取り付けられている（例えば、特許文献１参照。）。
【特許文献１】特開２００３−２２５３５３号公報
【発明の開示】
【発明が解決しようとする課題】
【０００５】
このようなスロットマシンでは、下パネルの係止突起を係止させるために、前扉には、係止孔等が設けられるので、下パネルの係止突起と前扉との間には隙間が必ず生じ、この隙間を利用すれば、細長い針金状器具がスロットマシン筐体内部に挿入可能となる。この針金状器具により、スロットマシン筐体内部に設けられている制御基板や電源装置等に対する不正行為が行われうる、という問題がある。
そこで、各請求項にそれぞれ記載された各発明は、上記した従来の技術の有する問題点に鑑みてなされたものであり、その目的とするところは、針金状器具の内部への進入が確実に防止でき、針金状器具よる不正行為の防止効果が充分得られるようになるスロットマシンを提供することである。
【課題を解決するための手段】
【０００６】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、内部の回転リール(4B)に記された図柄を外部に露出させるリール窓(４)と、このリール窓(４)の下方に配置されるとともに所定の表示がなされた下パネル(５)と、この下パネル(５)を後方から照らすバックライトとなる光源(5A)と、前記下パネル(５)の下方に配置されるとともに払い出されたメダルを受ける受け皿(6B)とが、その前扉(2A)に設けられたスロットマシン(１)であって、前記下パネル(５)は、当該下パネル(５)の裏面から前記前扉(2A)側へ突出する係止突起(23)がその下端縁部に設けられたものとされ、前記前扉(2A)には、下パネル(５)を囲むように形成された枠状部(６)が設けられ、前記枠状部(６)は、前記下パネル(５)の上端縁に対応する部分に、前記下パネル(５)の上端縁(22)が挿入されて当該上端縁(22)を係止する係止溝(25)が設けられるとともに、前記受け皿(6B)に向かって開いた下向き開口(11)が、その下方部分に形成されたものとされ、前記枠状部(６)の前記下向き開口(11)の周囲部分には、互いに係合しあう係止爪及び係止孔の一方が設けられ、前記下パネルの前記係止突起(23)には、前記係止爪及び前記係止孔の他方が設けられ、前記下向き開口(11)は、当該下向き開口(11)に応じたサイズを有するカバー板(12)で塞がれていることを特徴とする。
【０００７】
（請求項２）
（特徴点）
請求項２記載の発明は、前述した請求項１記載の発明において、次の特徴点を備えているものである。
すなわち、請求項２記載の発明は、前記下パネル(５)の後方に、当該下パネル(５)の後方空間を前後に仕切るとともに前記光源(5A)を支持する間仕切板(10)が設けられ、前記カバー板(12)は、前記間仕切板(10)に形成された開口部(10A) を前記間仕切板(10)の裏側から塞ぐように前記間仕切板(10)に固定されていることを特徴とする。
【０００８】
（請求項３）
（特徴点）
請求項３記載の発明は、前述した請求項１又は２記載の発明において、次の特徴点を備えているものである。
すなわち、請求項３記載の発明は、前記係止突起(23)が、その側面の中間部分から切り立つように突出する鉤形部(23A) と、この鉤形部(23A) から先端側へ行くにしたがって薄くなるとともに先端が尖っている楔形部(23B) とを備えたものとされ、前記鉤形部(23A) が前記係止孔に係合する前記係止爪とされ、前記下向き開口(11)は、前記枠状部(６)の当該下向き開口(11)を囲む周囲部分(11A) に、前記係止突起(23)の前記係止爪である前記鉤形部(23A) と係合して前記鉤形部(23A) を係止する前記係止孔となっていることを特徴とする。
【０００９】
（請求項４）
（特徴点）
請求項４記載の発明は、前述した請求項１から請求項３までのいずれかに記載の発明において、次の特徴点を備えているものである。
すなわち、請求項４記載の発明は、前記下パネル(５)が、表側に配置されるとともに透明となった外装パネル板(5B)と、内側に配置されるとともに透光性を有する内側パネル板(5C)と、前記外装パネル板(5B)及び前記内側パネル板(5C)の間に介装されるとともに所定の表示物が印刷された印刷シート(5D)とが重ね合わされたものであることを特徴とするものである。
【００１０】
（請求項５）
（特徴点）
請求項５記載の発明は、前述した請求項１から請求項４までのいずれかに記載の発明において、次の特徴点を備えているものである。
すなわち、請求項５に記載の発明は、前記カバー板(12)が、透光性を有する材質で形成されたレンズであり、前記下向き開口(11)は、前記光源(5A)からの光を前記受け皿(6B)に照射するための光路となっていることを特徴とする。
【発明の効果】
【００１１】
（請求項１の効果）
以上のように構成されている本発明は、以下に記載されるような効果を奏する。
すなわち、請求項１記載の発明によれば、枠状部の下向き開口の周囲部分に、互いに係合しあう係止爪及び係止孔の一方を設け、下パネル側に設けた係止爪及び係止孔の他方と下向き開口の周囲部分の近傍で係合するようにするとともに、この下向き開口をカバー板で塞ぐようにしたので、下パネルの係止突起を挿通させるために、枠状部に挿通孔を設けたために隙間が生じ、この隙間に針金状器具が挿入可能となっていても、隙間に挿入された針金状器具の進路を遮断するように、カバー板の形状や位置を設定することが容易に行え、針金状器具の進路をカバー板で遮断することにより、針金状器具の内部への進入が確実に防止でき、針金状器具よる不正行為の防止効果を充分得ることができる。
【００１２】
（請求項２の効果）
請求項２記載の発明によれば、上記した請求項１記載の発明の効果に加え、次のような効果を奏する。
すなわち、請求項２記載の発明によれば、下パネルの後方に間仕切板を配置するとともに、間仕切板に形成された開口部をカバー板で塞ぐので、この点から、針金状器具の内部への進入が確実に防止でき、針金状器具よる不正行為の防止効果を充分得ることができる。そのうえ、間仕切板の開口部をカバー板で塞ぐにあたり、間仕切板の裏側からカバー板を固定するようにしたので、前扉を開放しなければ、カバー板を取り外せないので、許可された係員以外の者が無断でカバー板を取り外すことを防止できる。しかも、カバー板は、枠状部の下向き開口及び間仕切板の開口部の両方を塞ぐものであればよいので、例えば、断面Ｌ字形の簡単な形状の部材を採用することができ、スロットマシンの下パネル回りの構造を何ら複雑にしない。
【００１３】
（請求項３の効果）
請求項３記載の発明によれば、上記した請求項１又は２記載の発明の効果に加え、次のような効果を奏する。
すなわち、請求項３記載の発明によれば、請求項３記載の発明は、下パネル側の係止突起に係止爪としての鉤形部を設け、この鉤形部を枠状部側に設けられた下向き開口の周囲部分に係止し、下向き開口それ自体を係止孔としたので、枠状部側に下パネルを取り付けるための取付構造が簡単なものとなり、スロットマシンの下パネル回りの構造を簡略化することができる。
【００１４】
（請求項４の効果）
請求項４記載の発明によれば、上記した請求項１又は３記載の発明の効果に加え、次のような効果を奏する。
すなわち、請求項４記載の発明によれば、印刷シートとして湾曲可能なものが採用でき、湾曲可能な印刷シートには、様々な種類の印刷が可能なので、その表面全体に、複雑な図形及び模様、並びに、写真を精緻に印刷できるようになる。そのうえ、印刷された表示物は、透明な外装パネル板を通して外部に表示できるようになる。これにより、印刷シートへの印刷により、複雑な図形及び模様、並びに、写真を表示物として前扉の前面に容易に描くことができる。また、機種変更の際には、印刷シートを交換するだけで、外観の印象を大幅に変更することが可能になる。
【００１５】
（請求項５の効果）
請求項５記載の発明によれば、上記した請求項１から請求項４までのいずれかに記載の発明の効果に加え、次のような効果を奏する。
すなわち、請求項５記載の発明によれば、下向き開口が、光源からの光を受け皿に照射するための光路を兼用するとともに、カバー板が光路の端部を塞ぐレンズを兼用するようになるので、下パネルの係止突起を枠状部に係止させるための係止構造、及び、針金状器具の進路を遮断する遮断部材を別途設ける必要がなく、この点からも、下パネル回りの構造を簡略化することができる。
【発明を実施するための最良の形態】
【００１６】
以下に、本発明を実施するための最良の形態である一実施形態について、図面に基づいて説明する。
図１ないし図４は、本実施形態を示すものである。図１は、本実施形態に係るスロットマシンを示す正面図、図２は、本実施形態の要部を示す拡大断面図、図３は、本実施形態に係る下パネルを示す分解斜視図、図４は、本実施形態に係るカバー板を示す拡大斜視図である。
本実施形態に係るスロットマシン１は、図１の如く、略六面体の箱状に形成された筐体２を備えている。この筐体２の内部には、３個の回転リール4Bが横並びに設けられたリールユニット4C等の遊技用装置が設けられている。回転リール4Bの各々は、リールユニット4Cに回転駆動可能に設けられ、且つ、それぞれの周面に複数種類の図柄が記されたものとなっている。
【００１７】
筐体２には、当該筐体２の前面開口部を開閉するために、当該前面開口部に応じたサイズの前扉2Aが設けられている。
前扉2Aには、その高さ方向のほぼ中央より若干高い位置に配置されたリール窓４と、その高さ方向のほぼ中央に棚状に突出する段部３と、この段部３の下方に配置されるとともに所定の表示がなされた下パネル５と、この下パネル５の後方に配置された蛍光灯5Aと、下パネル５を囲むように形成された枠状部６とが設けられている。
リール窓４は、３個の回転リール4Bに記された図柄を外部に露出させるための窓であり、３個すべての回転リール4Bの回転が停止した際に、縦横３個ずつ配列された計９個の図柄が表示できるように形成されている。
【００１８】
具体的には、左側の回転リール4Bの回転が停止すると、リール窓４の左側部分の上段、中段及び下段にそれぞれ１個ずつ、合計３個の図柄が表示されるようになっている。中央及び右側の回転リール4Bについても同様に、上段、中段及び下段にそれぞれ１個ずつ、合計３個の図柄が表示されるようになっている。これにより、３個すべての回転リール4Bの回転が停止すると、リール窓４には、縦横各３個の計９個からなる図柄が表示可能となっている。
この際、リール窓４に表示された縦横各３個の計９個からなる図柄の配列パターンが、いわゆる「出目」である。
【００１９】
段部３の上面3Aには、メダルが投入されるメダル投入口3B、貯留メダルを１枚ずつ投入するためのベットスイッチ3C、貯留メダルを３枚ずつ投入するためのマックスベットスイッチ3Dが設けられている。
段部３の前面3Eには、回転リール4Bの回転を開始させるためのスタートスイッチ3F、及び、回転リール4Bの回転を停止させるためのストップスイッチ3G等が設けられている。
前扉2Aの上部には、入賞時などに点滅する演出用ランプ7Aと、入賞役となる図柄の組合せ等を示す表示パネル7Bと、前扉2Aの表面から奥まった位置に配置された動画表示用の液晶パネル7Cとが設けられている。
【００２０】
前扉2Aの下部には、入賞時にメダルを払い出すための払出口6Aが設けられている。この払出口6Aの下方には、払い出されたメダルを受ける受け皿6Bが設けられ、払出口6Aの図中左右には、演出音を発する左スピーカ6C及び右スピーカ6Dが設けられている。
ここで、前扉2Aには、図１及び図２に示すように、蛍光灯5Aが発生する光を利用して、下方の受け皿6Bに光を照射する照明手段が設けられている。
すなわち、前扉2Aには、図２の如く、下パネル５の後方空間を前後に仕切るとともに蛍光灯5Aを支持する間仕切板10が設けられている。この間仕切板10に支持される蛍光灯5Aは、下パネル５を後方から照らすバックライトとなる光源であり、間仕切板10は、リフレクタ板を兼ねている。
【００２１】
このような蛍光灯5Aの下方の位置には、枠状部６の下方部分である横桟部6Eが設けられている。この枠状部６の横桟部6Eには、受け皿6Bに向かって開いた下向き開口11が設けられている。下向き開口11は、その上方に配置されている蛍光灯5Aの発生する光で受け皿6Bを照射するために形成されたものである。この下向き開口11は、当該下向き開口11に応じたサイズを有する透明なカバー板12で塞がれている。これにより、蛍光灯5Aの発生する光が、下向き開口11及びカバー板12を通り抜けて受け皿6Bに達するようになっている。換言すれば、下向き開口11は、光源である蛍光灯5Aからの光を受け皿6Bに照射するための光路を兼ねたものとなっている。
【００２２】
下パネル５は、図２及び図３に示すように、表側に配置されるとともに透明となった外装パネル板5Bと、内側に配置されるとともに透光性を有する内側パネル板5Cと、外装パネル板5B及び内側パネル板5Cの間に介装されるとともに所定の表示物が印刷された印刷シート5Dとが重ね合わされたものとなっている。
外装パネル板5Bは、全体が平板状に形成された合成樹脂製の面材であり、その周縁には、当該周縁に沿って連続する立ち上がり縁部21が設けられている。外装パネル板5Bの上端面には、当該上端面から上方へ突出する係止突条22が設けられている。また、外装パネル板5Bの下端縁部には、その裏面から前扉2A側へ突出する係止突起23が設けられている。
【００２３】
この係止突起23は、同じ方向に突出する立ち上がり縁部21よりも突出寸法が大きく、且つ、立ち上がり縁部21との間に切り込み部が設けられ、立ち上がり縁部21よりも小さな力で弾性変形可能となっている。
内側パネル板5Cは、全体が平板状に形成された合成樹脂製の面材であり、その周縁には、当該周縁に沿って連続する立ち上がり縁部24が設けられている。そして、内側パネル板5Cは、外装パネル板5Bの立ち上がり縁部21の内法に対応した外形寸法を有しており、全体が外装パネル板5Bの立ち上がり縁部21の内部に収納されるようになっている。
印刷シート5Dは、任意に折り曲げ容易となったフレキシブルな合成樹脂製のフィルムである。そして、印刷シート5Dは、内側パネル板5Cと同様に、外装パネル板5Bの立ち上がり縁部21の内法に対応した外形寸法を有しており、全体が外装パネル板5Bの立ち上がり縁部21の内部に収納されるようになっている。
【００２４】
このような下パネル５を囲む前扉2Aの枠状部６には、図２の如く、下パネル５の上端縁に対応する部位として、その上方部分である横桟部6Fが備えられている。この横桟部6Fには、外装パネル板5Bの係止突条22を係止する係止溝25が設けられている。
以上において、枠状部６の係止溝25は、下パネル５の上端縁が挿入されて当該上端縁を係止する係止溝である。また、外装パネル板5Bの係止突条22は、枠状部６の係止溝25に挿入されて当該係止溝25に係止される下パネル５の上端縁となっている。
また、前扉2Aの枠状部６に設けられた下向き開口11の周囲部分11A には、互いに係合しあう係止爪及び係止孔の一方が設けられ、下パネル５の係止突起23には、前述した係止爪及び係止孔のうちの他方が設けられている。
【００２５】
すなわち、下パネル５の係止突起23は、図２の如く、その側面の中間部分から切り立つように突出する鉤形部23A と、この鉤形部23A から先端側へ行くにしたがって薄くなるとともに先端が尖っている楔形部23B とを備えたものとなっている。そして、鉤形部23A が前述の係止爪及び係止孔のうちの他方である係止爪となっている。
一方、枠状部６側の下向き開口11は、当該下向き開口11を囲む周囲部分11A に、係止突起23の係止爪である鉤形部23A と係合して鉤形部23A を係止するものとされ、換言すると、それ自体が前述の係止爪及び係止孔のうちの一方である係止孔となっている。
カバー板12は、図２及び図４に示すように、断面がＬ字形状に形成されるとともに、全体が透光性を有する材質で形成されたものである。
【００２６】
カバー板12のＬ字の一辺側は、下向き開口11を塞ぐとともに、蛍光灯5Aからの光を透過させるレンズ部12A である。このレンズ部12A は、蛍光灯5Aの光で受け皿6B全体がなるべく明るくなるように、蛍光灯5Aからの光を拡散させるレンズとなっている。
前扉2A側の間仕切板10は、下向き開口11の近傍部分を切り欠くことにより形成された開口部10A を備えている。カバー板12のＬ字の他辺側は、間仕切板10に形成された開口部10A を塞ぐ閉塞平板部12B となっている。この閉塞平板部12B には、その両端近傍にビス挿通孔12C が設けられている。
一方、枠状部６側の下向き開口11の内周面には、開口部10A に向かって突出するボス13が設けられている。このボス13は、その数量及び位置が、カバー板12の閉塞平板部12B に設けられたビス挿通孔12C に対応したものとなっている。
【００２７】
カバー板12の閉塞平板部12B は、間仕切板10に形成された開口部10A を間仕切板10の裏側から塞ぐように配置された状態で、そのビス挿通孔12C に挿通されたビス14をボス13に螺合させることにより、間仕切板10に固定されている。
この際、前扉2Aに設けられた枠状部６の横桟部6Eと、下パネル５との間には、図２の如く、僅かではあるが隙間15が形成されている。万が一、この隙間15に細長い針金状器具が挿入されても、カバー板12の閉塞平板部12B が針金状器具の進路を遮断し、間仕切板10及び閉塞平板部12B よりも筐体２の内側へ針金状器具が進入できないようになっている。
前述のような本実施形態によれば、次のような効果が得られる。
【００２８】
すなわち、下パネル５の係止突起23に設けた鉤形部23A を、枠状部６に設けられた下向き開口11の周囲部分11A に係止させて、下パネル５を前扉2Aに取り付けるとともに、下向き開口11を塞ぐカバー板12で、間仕切板10に形成した開口部10A を塞ぐようにしたので、前扉2Aに設けられた枠状部６の横桟部6Eと、下パネル５との間の隙間15に細長い針金状器具が挿入されても、カバー板12の閉塞平板部12B が針金状器具の進路を遮断し、針金状器具は、間仕切板10及び閉塞平板部12B よりも筐体２の内側へ進入できず、針金状器具よる不正行為の防止効果を充分得ることができる。
また、間仕切板10の開口部10A をカバー板12で塞ぐにあたり、間仕切板10の裏側からカバー板12を固定するようにしたので、前扉2Aを開放しなければ、カバー板12を取り外せないので、許可された係員以外の者が無断でカバー板12を取り外すことを防止できる。しかも、カバー板12として、枠状部６の下向き開口11及び間仕切板10の開口部10A の両方を塞ぐことができる、断面Ｌ字形の簡単な形状のものを採用したので、スロットマシン１の下パネルの周辺構造、特に、枠状部６の構造を簡単にすることができる。
【００２９】
さらに、下パネル５側の係止突起に係止爪としての鉤形部を設け、この鉤形部を枠状部側に設けられた下向き開口11の周囲部分11A に係止し、下向き開口それ自体を係止孔としたので、枠状部側に下パネルを取り付けるための取付構造が簡単なものとなり、スロットマシンの下パネル回りの構造を簡略化することができる。
また、印刷シート5Dとして任意に折り曲げ容易となったフレキシブルなフィルムを採用したので、印刷シート5Dには、様々な種類の印刷が可能となり、その表面全体に、複雑な図形及び模様、並びに、写真を精緻に印刷することができる。そのうえ、印刷シート5Dに印刷された所定の表示は、透明な外装パネル板5Bを通して外部に表示でき、印刷シート5Dへの印刷により、複雑な図形及び模様、並びに、写真を表示物として前扉2Aの前面に容易に付与することができ、且つ、機種変更の際には、印刷シート5Dを交換するだけで、スロットマシン１の外観の印象を大幅に変更することができる。
【００３０】
さらに、蛍光灯5Aからの光を受け皿6Bに照射するための光路を下向き開口11に兼用させるとともに、この光路の端部を塞ぐレンズをカバー板12に兼用させたので、下パネル５の係止突起23を枠状部６に係止させるための係止構造、及び、針金状器具の進路を遮断する遮断部材を別途設ける必要がなく、この点からも、下パネル５回りの構造を簡略化することができる。下パネルを枠状部に取り付けるための取付構造を分離して別途設ける必要がなく、この点からも、スロットマシン１の下パネルの周辺構造、特に、枠状部６の構造を簡単にすることができる。
なお、本発明は、前記実施形態に限定されるものではなく、本発明の目的を達成できる範囲における変形及び改良などをも含むものである。
【００３１】
例えば、前記実施形態では、下パネルの係止突起側に係止爪を設け、枠状部側に係止孔を設けたが、図５に示すように、下パネル５の外装パネル板5Bに設けられた係止突起23に係止孔23C を設け、枠状部６の横桟部6Eに弾性変形可能に設けられた可動片16に係止爪17を設けてもよい。
この際、可動片16としては、枠状部６と一体成形されたものであって、当該可動片16となる部分の左右両側及び下方を部分的に切り欠いた切り欠き部18を設けることにより、図５中上下方向に先端が揺動可能となったものが採用できる。
また、カバー板12としては、間仕切板10の開口部10A を塞ぐ閉塞平板部12B で、針金状器具の進路を遮断するものに限らず、図６に示すように、下パネル５の外装パネル板5Bに設けられた係止突起23の先端部23D を覆う略箱形の遮断部12D を備えたカバー板12E でもよい。ここで、カバー板12E の遮断部12D は、下パネル５の係止突起23の位置に対応して、カバー板12E の長手方向に対して部分的に設けられるとともに、係止突起23に向かった開口を有する箱状のものが採用できる。
【図面の簡単な説明】
【００３２】
【図１】本発明の一実施形態に係るスロットマシンを示す正面図である。
【図２】前記実施形態の要部を示す拡大断面図である。
【図３】前記実施形態に係る下パネルを示す分解斜視図である。
【図４】前記実施形態に係るカバー板を示す拡大斜視図である。
【図５】本発明の変形例を示す拡大断面図である。
【図６】本発明の別の変形例を示す拡大断面図である。
【符号の説明】
【００３３】
１  スロットマシン
2A  前扉
４  リール窓
4B  回転リール
５  下パネル
5A  光源としての蛍光灯
5B  外装パネル板
5C  内側パネル板
5D  印刷シート
６  枠状部
6B  受け皿
10  間仕切板
10A 間仕切板の開口部
11  係止孔を兼ねる下向き開口
12  カバー板
17  係止爪
22  下パネルの上端縁である係止突条
23  係止突起
23A 係止爪としての鉤形部
23B 楔形部
23C 係止孔
25  係止溝
【図１】
2005296406.tif 000003
【図２】
2005296406.tif 000004
【図３】
2005296406.tif 000005
【図４】
2005296406.tif 000006
【図５】
2005296406.tif 000007
【図６】
2005296406.tif 000008